(57)【特許請求の範囲】
【請求項１】
長尺状部材を収容保持するプロテクタ本体と、該プロテクタ本体の上方開口部に開閉自在に装着されるプロテクタカバーと、該プロテクタカバーを前記プロテクタ本体に装着した状態で両者をロックするロック手段とを備えたプロテクタであって、
前記ロック手段が、前記プロテクタカバーの開口縁部に開口部をはさんで対をなすように突出形成された挿入片と、前記プロテクタ本体に設けられて前記挿入片が挿入されることで挿入片を抜け止め係止する挿入片係合部とで構成されており、
前記ロック手段の挿入片の挿入方向に対して傾斜している前記プロテクタカバーの上面であって、前記対をなす挿入片の中央部には、前記上面に沿って最上点を中心に円弧状に形成され、その上側面に前記挿入片の挿入方向に平行な押圧付勢力を受ける受圧面を有するリブが設けられていることを特徴とするプロテクタ。
【請求項２】
前記受圧面が、前記挿入片の挿入方向に対して垂直な受圧面であることを特徴とする請求項１に記載のプロテクタ。
【請求項３】
前記受圧面に対する押圧付勢方向と前記挿入片の挿入方向とが略同一平面上に位置するように、前記受圧面が設けられることを特徴とする請求項１に記載のプロテクタ。
【発明の詳細な説明】
【０００１】
【発明の属する技術分野】
本発明はプロテクタに関し、特に、ワイヤーハーネス等の長尺状部材を収容保持した状態で、車体パネル等の外部構造体に取り付けられるプロテクタに関する。
【０００２】
【従来の技術】
図３は、従来のプロテクタ１の全体構成を示す平面図及び正面図である。
樹脂成形品よりなるプロテクタ１は、長尺状部材であるワイヤーハーネス（図示せず）を収容する断面半円形状のプロテクタ本体２と、このプロテクタ本体２の上方開口部に開閉自在に装着される断面半円形状のプロテクタカバー３と、該プロテクタカバー３を前記プロテクタ本体２に装着した状態で両者をロックするロック手段４とを備えている。
【０００３】
前記各ロック手段４は、図４に示したように、前記プロテクタ本体２の長手方向に沿って開口縁部に設けられた複数の挿入片係合部である係合枠５と、前記係合枠５に対応して前記プロテクタカバー３の長手方向に沿って突出形成された挿入片６とで構成されている。
【０００４】
そして、前記挿入片６には係止突起６ａが突設されており、該挿入片６が係合枠５に挿入されると、前記係止突起６ａが係合部５ａに抜け止め係止されることで、前記プロテクタカバー３を前記プロテクタ本体２に装着した状態で両者がロックされる。
【０００５】
そこで、前記プロテクタ１により、車体パネルに配索されるワイヤーハーネスを保護する場合には、先ず、プロテクタ本体２とプロテクタカバー３との間に画成される収容空間内にワイヤーハーネスを収容した後、該プロテクタカバー３をプロテクタ本体２に対し上から押し付けることにより、各挿入片６を対応する係合枠５に挿入し係合させる。これにより、プロテクタ本体２とプロテクタカバー３とをロックすることができる。
その後、治具台からワイヤーハーネスを取り外し、前記プロテクタ本体２に設けた固定脚７をボルト止めすることで、該プロテクタ本体２が車体パネルに固定される。
【０００６】
【発明が解決しようとする課題】
ところで、例えば自動車のワイヤーハーネスは、３次元的な経路で配索される関係で、それを保護する上記プロテクタ１の形状も３次元的な形状となる場合がある。
即ち、図３（ｂ）中の範囲Ａで示したように、プロテクタ１が部分的に取付面に対して上下方向に傾斜した形状となることがある。
【０００７】
その場合、前記各ロック手段４のロック方向（挿入片６の挿入方向）Ｆ２は、プロテクタ本体２とプロテクタカバー３の突き合わせ方向と平行に全部統一されているので、前記範囲Ａの傾斜している部分のプロテクタ本体２及びプロテクタカバー３が、対応する挿入片６の挿入方向（図３（ｂ）中、右端のロック手段４のロック方向Ｆ２）に対して傾斜した関係となる。
【０００８】
そこで、図４に示したように、プロテクタ本体２及びプロテクタカバー３が傾斜している部分のロック手段４をロックしようとした場合、プロテクタカバー３の上面に対して効率良く押圧付勢力（荷重）をかけることができず、プロテクタカバー３の上面の傾斜方向Ｆ１に押圧付勢力が逃げてしまい、ロック嵌合が難しくなることがあった。
【０００９】
従って、本発明の目的は上記課題を解消することに係り、ロック方向に対して傾斜している部分におけるプロテクタカバーのロック嵌合を容易とし、該プロテクタカバーの装着作業性を向上させることができる良好なプロテクタを提供することである。
【００１０】
【課題を解決するための手段】
本発明の上記目的は、 長尺状部材を収容保持するプロテクタ本体と、該プロテクタ本体の上方開口部に開閉自在に装着されるプロテクタカバーと、該プロテクタカバーを前記プロテクタ本体に装着した状態で両者をロックするロック手段とを備えたプロテクタであって、
前記ロック手段が、前記プロテクタカバーの開口縁部に開口部をはさんで対をなすように突出形成された挿入片と、前記プロテクタ本体に設けられて前記挿入片が挿入されることで挿入片を抜け止め係止する挿入片係合部とで構成されており、
前記ロック手段の挿入片の挿入方向に対して傾斜している前記プロテクタカバーの上面であって、前記対をなす挿入片の中央部には、前記上面に沿って最上点を中心に円弧状に形成され、その上側面に前記挿入片の挿入方向に平行な押圧付勢力を受ける受圧面を有するリブが設けられていることを特徴とするプロテクタより達成される。
【００１１】
上記構成によれば、プロテクタカバーの上面に設けられた受圧面をロック方向に押圧付勢することで、挿入片の挿入方向に対して傾斜しているプロテクタカバーの上面に加えた力を他方向へ逃がさずに無駄なく、前記挿入片の挿入力として作用させることができる。即ち、プロテクタカバーをプロテクタ本体に対し上から押し付けてロック手段をロック嵌合させる際、傾斜しているプロテクタカバーの上面を押す指先が前記受圧面に引っ掛かり、該プロテクタカバーを挿入片の挿入方向に押圧付勢することができる。
この場合、プロテクタカバーを成形する際に、受圧面を構成するリブを容易に一体成形することができ、コストアップを招くことがない。
【００１２】
尚、好ましくは前記受圧面が、前記挿入片の挿入方向に対して垂直な受圧面となっている。
【００１３】
又、好ましくは前記受圧面に対する押圧付勢方向と前記挿入片の挿入方向とが略同一平面上に位置するように、前記受圧面が設けられる。この場合、プロテクタカバーの上面に加えた力を更に効率的に、前記挿入片の挿入力として作用させることができる。
【００１４】
【発明の実施の形態】
以下、添付図面に基づいて本発明の一実施形態に係るプロテクタを詳細に説明する。
図１は本発明の一実施形態に係るプロテクタの要部拡大平面図であり、図２は図１に示したプロテクタの要部拡大正面図である。
【００１５】
図１及び図２に示した本実施形態のプロテクタ１１は、図３に示した従来のプロテクタ１と同様に、長尺状部材であるワイヤーハーネス（図示せず）を収容する断面半円形状のプロテクタ本体２と、このプロテクタ本体２の上方開口部に開閉自在に装着される断面半円形状のプロテクタカバー１３と、該プロテクタカバー１３を前記プロテクタ本体２に装着した状態で両者をロックするロック手段４とを備えている。
【００１６】
前記ロック手段４は、図２に示したように、前記プロテクタ本体２の長手方向に沿って開口縁部に設けられた複数の挿入片係合部である係合枠５と、前記係合枠５に対応して前記プロテクタカバー３の長手方向に沿って突出形成された挿入片６とで構成されている。
【００１７】
そして、前記挿入片６には係止突起６ａが突設されており、該挿入片６が係合枠５に挿入されると、前記係止突起６ａが係合部５ａに抜け止め係止されることで、前記プロテクタカバー１３を前記プロテクタ本体２に装着した状態で両者がロックされる。
【００１８】
更に、前記プロテクタカバー１３の上面には、前記挿入片６の挿入方向（ロック方向）に対して垂直な受圧面１４を備えたリブ１２が受圧部として突設されている。尚、このリブ１２は、前記プロテクタカバー１３を射出成形する際に、容易に一体成形することができ、コストアップを招くことがない。
そして、前記リブ１２は、前記プロテクタカバー１３の上面の曲率に沿って最上点を中心に円弧状に形成されており、そのリブ１２の上側面部に前記受圧面１４が確保されている。
【００１９】
そこで、前記プロテクタ１１により、車体パネルに配索されるワイヤーハーネスを保護する場合には、先ず、前記プロテクタ本体２に設けた固定脚７をボルト止めすることで、該プロテクタ本体２が車体パネルに固定される。
次に、プロテクタ本体２とプロテクタカバー１３との間に画成される収容空間内にワイヤーハーネスを収容した後、該プロテクタカバー１３をプロテクタ本体２に対し上から押し付けることにより、挿入片６を係合枠５に挿入し係合させる。
【００２０】
この際、前記プロテクタカバー１３の上面に設けられたリブ１２の受圧面１４を指先で押圧付勢することで、挿入片６の挿入方向Ｆ２に対して傾斜しているプロテクタカバー１３の上面に加えた力Ｐを他方向へ逃がさずに無駄なく、前記挿入片６の係合枠５に対する挿入力として作用させることができる。
【００２１】
即ち、プロテクタカバー１３をプロテクタ本体２に対し上から押し付けてロック手段４をロック嵌合させる際、傾斜しているプロテクタカバー１３の上面を押す指先が前記リブ１２に引っ掛かり、該プロテクタカバー１３を挿入片６の挿入方向に押圧付勢することができる。
【００２２】
更に、前記リブ１２は、該リブ１２の受圧面１４に対する指先の力Ｐの押圧付勢方向と前記挿入片６の挿入方向Ｆ２とが略同一平面上に位置するように、プロテクタカバー１３の上面に設けられている。
そこで、前記プロテクタカバー１３の上面に加えた力Ｐを更に効率的に、前記挿入片６の挿入力として作用させることができる。
【００２３】
従って、前記プロテクタカバー１３を前記プロテクタ本体２に装着する際には、各ロック手段４を容易にロック嵌合させることができ、該プロテクタカバー１３の装着が容易になるので、その結果、プロテクタ１１へのワイヤーハーネスの装着作業性を向上させることができる。
【００２４】
尚、本発明のプロテクタにおけるプロテクタ本体、プロテクタカバー、ロック手段及び受圧部等の構成は、上記実施形態の構成に限定されるものではなく、本発明の趣旨に基づいて種々の形態を採りうることは云うまでもない。
例えば、上記実施形態では、プロテクタ本体２側に挿入片係合部である係合枠５を設け、プロテクタカバー３側に挿入片６を設けているが、これとは逆に、プロテクタ本体２側に挿入片６を設け、プロテクタカバー３側に係合枠５を設けることもできる。勿論、これら挿入片及び挿入片係合部の形状も、種々の形状を採りうる。
【００２６】
更に、本発明のプロテクタはワイヤーハーネスに限らず、チューブやワイヤーケーブル等の種々の長尺状部材の保護にも使用することができる。
【００２７】
【発明の効果】
以上説明したように、本発明のプロテクタによれば、プロテクタカバーの上面に設けられた受圧部をロック方向に押圧付勢することで、挿入片の挿入方向に対して傾斜しているプロテクタカバーの上面に加えた力を他方向へ逃がさずに無駄なく、前記挿入片の挿入力として作用させることができる。
即ち、プロテクタカバーをプロテクタ本体に対し上から押し付けてロック手段をロック嵌合させる際、傾斜しているプロテクタカバーの上面を押す指先が前記受圧部に引っ掛かり、該プロテクタカバーを挿入片の挿入方向に押圧付勢することができる。
従って、ロック方向に対して傾斜している部分におけるプロテクタカバーのロック嵌合を容易とし、該プロテクタカバーの装着作業性を向上させることができる良好なプロテクタを提供できる。
【図面の簡単な説明】
【図１】本発明の一実施形態に係るプロテクタの要部拡大平面図である。
【図２】図１に示したプロテクタの要部拡大正面図である。
【図３】従来のプロテクタの全体構成を示す平面図及び正面図である。
【図４】図３（ｂ）のＢ部分の拡大正面図である。
【符号の説明】
２  プロテクタ本体
４  ロック手段
５  係合枠（挿入片係合部）
６  挿入片
１１  プロテクタ
１２  リブ
１３  プロテクタカバー
１４  受圧面
【図１】
0003791780.tif 000002
【図２】
0003791780.tif 000003
【図３】
0003791780.tif 000004
【図４】
0003791780.tif 000005